(57)【要約】【課題】単一曲面内に多数の接合点の集中を緩和し、また、容易に接合作業を行うことができることによって施工時間を短縮し得るドーム状の屋根構造を提供すること【解決手段】第一の仮想曲面上に配置した第一の主材と、第二の仮想曲面上に配置した第二の主材とを備え、上記第一の主材と第二の主材を補剛材により適宜位置で接合してなることを特徴とするドーム状屋根構造を要旨としている。第一の主材と第二の主材は、異なる仮想曲面上に配置されることから、補剛材と接合点は単一曲面上に集中することはなく、三次元に補剛材を配置することができる。また、第一または第二仮想曲面に対して、有角的に補剛材が接合することとなるから、高力ボルトを用いたフランジ継手による接合ではなく、例えば、ガセット・プレートを利用して接合することも可能となる。【選択図】図１
2011179201.tif 000002
【特許請求の範囲】
【請求項１】
第一の仮想曲面上に配置した第一の主材と、第二の仮想曲面上に配置した第二の主材とを備え、上記第一の主材と第二の主材を補剛材により適宜位置で接合してなることを特徴とするドーム状屋根構造。
【請求項２】
前記第一の仮想曲面と前記第二の仮想曲面の間隔は、均等な距離を有して上下方向に積層されていることを特徴とする請求項１に記載のドーム状屋根構造。
【請求項３】
前記第一の主材と前記第二の主材は、ともに弓状に湾曲してなり、双方の主材の弦方向が相互に直交するように配置されていることを特徴とする請求項１または２に記載のドーム状屋根構造。
【請求項４】
前記補剛材は、一つの接合位置に対して複数が接合された補剛材であることを特徴とする請求項１ないし３のいずれかに記載のドーム状屋根構造。
【請求項５】
前記主材と前記補剛材は、予め主材に溶接されたガセット・プレートに対し補剛材を高力ボルトでピン接合してなることを特徴とする請求項１ないし４のいずれかに記載のドーム状屋根構造。
【発明の詳細な説明】
【技術分野】
【０００１】
本発明は、建築物の屋根構造に関し、特に、ドーム状屋根構造に関するものである。
【背景技術】
【０００２】
ドーム状の屋根構造としては、トラス構造（特許文献1）およびラチス構造（特許文献２）があり、トラス構造のドーム屋根は、屋根全体を構成するために、外周からトラスを構築しつつ組み立てる必要があるため、現在では、ラチス構造のドーム屋根が主流となっている。
【０００３】
そこで、前掲の特許文献２に開示される技術は、水平ラチス材と斜めラチス材が、ジョイント部材を介して一体に接合される構成であり、ジョイント部材には、接合すべき水平ラチス材または斜めラチス材に向けて延出するブラケットが備えられ、このブラケットとラチス材のそれぞれの上下にはフランジが設けられ、このフランジをボルトで接合する構成であった。
【０００４】
上記のような構成にあっては、使用するボルトの数が非常に多いことから、その接合には溶接が使用されることがあった。しかしながら、ラチス部材の接合点における溶接は、技術的に難しさを伴うものであるため、ラチス部材を肉厚管により構成するように改良されていた（特許文献３参照）。
【先行技術文献】
【特許文献】
【０００５】
【特許文献１】特開平５−１４８９０１号公報
【特許文献２】特開平９−２６８６９３号公報
【特許文献３】特開平１０−２９９０７８号公報
【発明の概要】
【発明が解決しようとする課題】
【０００６】
上記に示したラチス構造のドーム屋根は、いずれもラチス材を単層に交差してなる構成であるため、単一曲面内に多数の接合点が集中することとなっていた。また、接合作業は、溶接による接合方法を採用する場合、溶接設備として溶接用電源工事をはじめ足場、防風設備の仮設工事や溶接装置、ガス供給設備の揚重作業など多岐にわたる工事計画への配慮が必要であり、施工前検査、施工中検査、施工後検査を行わなければならない。他方、高力ボルトを用いたフランジ継手による接合方法を採用した場合では、接合部が露出しているため見栄えが悪い問題やボルト締めの工程や検査を行わなければならない。そのため、施工時間が長期化するものとなっていた。
【０００７】
本発明は、上記諸点にかんがみてなされたものであって、その目的とするところは、単一曲面内に多数の接合点の集中を緩和し、また、容易に接合作業を行うことができることによって施工時間を短縮し得るドーム状の屋根構造を提供することである。
【課題を解決するための手段】
【０００８】
そこで、本発明は、第一の仮想曲面上に配置した第一の主材と、第二の仮想曲面上に配置した第二の主材とを備え、上記第一の主材と第二の主材を補剛材により適宜位置で接合してなることを特徴とするドーム状屋根構造を要旨としている。
【０００９】
上記構成によれば、第一の主材と第二の主材は、異なる仮想曲面上に配置されることから、補剛材と接合点は単一曲面上に集中することはなく、三次元に補剛材を配置することができる。また、第一または第二仮想曲面に対して、有角的に補剛材が接合することとなるから、高力ボルトを用いたフランジ継手による接合ではなく、例えば、ガセット・プレートを利用して接合することも可能となる。
【００１０】
上記発明において、第一の仮想曲面と第二の仮想曲面の間隔は、均等な距離を有して上下方向に積層されている構成とすることができる。
【００１１】
上記構成によれば、第一の仮想曲面に配置される第一の主材と、第二の仮想曲面に配置される第二の主材とは、均等な距離を有して配置されることとなるから、補剛材を規則的に配置することができる。このような規則的な補剛材の配置によって、各部材の組み立てが容易となる。
【００１２】
また、上記各発明において、第一の主材と第二の主材は、ともに弓状に湾曲してなり、双方の主材の弦方向が相互に直交するように配置する構成とすることができる。
【００１３】
上記のような構成すれば、第一の主材と第二の主材とが交差する点の周辺において補剛材を配置することができる。このような補剛材の配置によって、それぞれの交差位置における両主材の結合状態を均等なものにすることができる。
【００１４】
そして、上記各発明における補剛材は、一つの接合位置に対して複数を接合するように構成することができる。
【００１５】
上記構成では、第一の主材および第二の主材の双方において、一つの接合位置から複数の補剛材が対向する他方の主材に接合されることとなり、構成される屋根全体が強固に一体化されることとなる。
【００１６】
上記各発明における主材と補剛材は、予め主材に溶接されたガセット・プレートに対し補剛材を高力ボルトでピン接合してなる構成とすることができる。
【００１７】
上記のような構成によれば、高力ボルトを用いたフランジ継手による接合のように多数のボルトを使用する必要はなく、溶接による接合の必要もなくなるものである。
【発明の効果】
【００１８】
本発明によれば、ドーム状の屋根を構成する第一の主材と第二の主材との間には、適宜な距離を有しており、その中間に補剛材を配置する構成であるから、当該補剛材は、主材が配置される単一の仮想曲面上でのみ懸架されるものではなく、両仮想曲面に対して有角的に配置されることとなり、その接合位置において補剛材が単一曲面上に集中することはない。
【００１９】
また、補剛材は、異なる仮想曲面上に配置される主材間に設けられることから、高力ボルトを用いたフランジ継手による接合または溶接による接合を不要にし、ガセット・プレート等による簡易な接合方法を採用することができる。特に、当該ガセット・プレートを使用して接合する場合は、接合点ごとに高力ボルトで固定することによって接合することが可能となるので、施工時間を短縮することが可能となる。さらに、このような接合方法を採用する場合には、接合部が露出しないという効果をも奏することとなる。
【図面の簡単な説明】
【００２０】
【図１】本発明の実施形態を示す説明図である。（Ａ）は平面図、（Ｂ）は正面図、（Ｃ）は側面図である。
【図２】主材と補剛材の関係を示す斜視図である。
【図３】本発明の実施形態における各部材の位置関係を示す分解図である。
【図４】本発明の実施形態の平面を拡大した説明図である。
【図５】本発明の実施形態について有限要素法解析を行った結果を示す図である。
【図６】本発明の実施形態について材料効率を比較した図である。
【発明を実施するための形態】
【００２１】
以下、本発明の実施の形態を図面に基づいて説明する。図１は、本発明の実施形態であるドーム状の屋根構造を概略的に示している。（Ａ）は平面図であり、（Ｂ）は正面図、（Ｃ）は側面図である。この図に示すように、第一の主材１は第一の仮想曲面上（球面上）に配置され、第二の主材２は第二の仮想曲面上（球面上）に配置されており、両仮想曲面（球面）は上下に分かれて積層されている。
【００２２】
この両仮想曲面（球面）は、積層された状態において、両者の間隔は、位置にかかわらず同じ距離が保持されている。なお、この仮想曲面は、球面に限定されるものではなく、両仮想曲面の間隔が均等となるように積層されるものに限定されるものではないが、代表的かつ簡易な曲面として球面を例示している。
【００２３】
上記二種類の主材１，２は、球面の弧に沿って配置され、また、隣接する主材の間隔が均一となるように配置されている。また、このように配置された主材１，２の弦方向は、相互に直交するように各主材１，２の長手方向の向きが調整されている。なお、正確には弦が交わらない場合もあるから、平面視において一方の主材１の弦方向をＸ方向とするとき、他方の主材２の弦方向をＹ方向とするという意味である。
【００２４】
このように配置された二種類の主材１，２（二種類の仮想曲面）の中間に補剛材３が懸架されている。図２および図３に示すように、第一の主材１の接合部４に４本の補剛材３が接合され、第二の主材２の接合部５にも４本の補剛材３が接合されている。これらの補剛材３は、それぞれの仮想曲面（球面）に接合部４，５で接する平面に対して有角的に接合されており、両端の一方は第一の主材１に、他方は第二の主材２に接合されている。
【００２５】
このような補剛材３を曲面（球面）の法線方向から観察する場合、図４に示すように、平面視において第一の主材１と第二の主材２が交差する位置１１，１２，１３には、接合されておらず、当該交差する点の中間２１，２２において接合されている。つまり、このような交差によって形成される直交格子（平面視正方形）の四辺の中点間に、補剛材３が正面視または側面視において斜め方向に配置されるのである。この補剛材３は規則的に配置されることから、上記の斜め方向の角度も規則性を有して配置されることとなる。
【００２６】
このように、第一および第二の主材１，２は、高さが異なる（一定の距離を有している）ことから、平面視において交差するものの直接的に交わることはない。これに対して、補剛材３の両端は第一または第二の主材１，２に接合され、これら全体が一体化されるのである。ここで、第一または第二の主材１，２と補剛材３の両端は、溶接または高力ボルトを用いたフランジ継手による接合方法を採用するものではなく、予め第一および第二の主材１，２に溶接されたガセット・プレートと補剛材３を高力ボルトにてピン接合するのである。第一および第二の主材１，２において、補剛材３との接合位置は、設計の段階で特定されることから、当該位置に予めガセット・プレートを溶接することができる。そして、このガセット・プレートを利用して補剛材３を高力ボルトによって接合するのである。
【００２７】
上記のような構成によれば、補剛材３は、直交格子ドームの面内剛性を補うものと想定して設置され、また、第一および第二の主材１，２に対しては基本的にはドームの面外方向に変位する並列アーチ構造の特性を有するような効果を奏することができる。さらに、第一および第二の主材１，２は境界（主材の両端）における支持点から支持点まで、各部材間の接合は直接表には現れず、比較的接合部の少ない構造となる。
【００２８】
また、予め主材１，２に溶接されたガセット・プレートを使用して接合することによって、接合作業が簡便になり、施行効率が向上するものである。なお、図３において図示されているように、第一の主材１で構成される曲面、および、第二の主材２で構成される曲面は、相互に独立した状態で設けられることから、例えば地震等により、いずれか一方が破損等した場合であっても、中間に配置される補剛材によって形状が保持されることとなり、屋根構造全体が崩壊することはなく、補修についても屋根構造を維持しつつ補修個所のみを修繕することができるという効果をも有するものである。
【００２９】
以上、本発明の好適な実施例について詳細に説明したが、本発明は上記実施形態に限定されるものではなく、特許請求の範囲に記載された本発明の範囲内で種々の変形または変更が可能であり、このような変形例または変更例も本発明の範囲内に含まれるものであることは、いうまでもない。
【００３０】
例えば、上記実施形態では、各部材１，２，３について詳細を特に定めて説明していないが、例えば、鋼管を使用することができる。そして、その形状については、円形断面、楕円形断面、多角形断面等の各種断面形状で構成することができる。さらに、上記ドーム状屋根構造を使用する建築物については、木造、鉄筋コンクリート造等の各種建築物に適用し得るものである。
【００３１】
また、仮想曲面については、球面を例示して説明したが、この仮想曲面はこれに限定されるものではなく、各種の所望形状を想定して主材１，２を配置することができる。そして、主材１，２については、球面に沿った状態で弧状に配置する状態を例示したが、仮称曲面上に配置する構成であれば、波状に形成した場合またはその他の幾何学的な形状に形成したものを配置することができる。
【００３２】
以下に本発明で提案するドーム構造の耐荷力および材料効率の解析結果について説明する。
【００３３】
解析に使用するドーム構造は、上述した実施形態と同様の構造を有し、仮想曲面は球面としたドーム（以下、モデルドームという）である。
【００３４】
まず、このモデルドームに対して、等分布状の雪荷重を想定した有限要素法解析を行った。比較例は、従来の単層直交格子ドームである。なお、従来の単層直交格子ドームは、日本建築学会構造系論文集第５２２号の第７９頁〜第８６頁に掲載されている「パーツ方式によるハイブリッド単層ラチスシェル及び対座屈荷重設計法の提案」において記述される単層直交格子ドームの構造を参考にし、補剛材を主材の中間でピン接合により取り付けるように変更したものである。荷重条件として単位面積当たりの固定重量を１．０ｋＮ／ｍ２とし、３６ｍ２について合計３６ｋＮ／ｍ２の負荷を与えた。解析の結果を図５に示す。ただし、図中の横軸は変位（ｍｍ）、縦軸は荷重係数である。
【００３５】
この解析結果からも明らかなとおり、本発明で提案するモデルドームの最大荷重係数は９．０８であるのに対し、従来の単層直交格子ドームの最大荷重係数は７．８８であるから、本発明で提案するモデルドームは、従来の単層直交格子ドームに比べ約２割程度高い耐荷力を示した。
【００３６】
また、モデルドームについての材料効率も解析した。材料効率は、鋼材重量に対する耐力時の全体荷重の比（耐力時の全体荷重／鋼材重量）によって解析することができる。図６はその解析結果を示す。なお、比較対象のドーム状屋根は上述の単層直交格子ドームと同じ構成である。
【００３７】
この結果から明らかなとおり、解析したドーム状の屋根構造は、従来の単層直交格子ドームに比べ約２５％程度高い材料効率を示した。なお、材料効率について精密に検討した場合には、従来の単層直交格子ドームは、部材そのものの重量に較べて接合部の重量の割合が比較的大きくなるため、本発明で提案する直交格子ドームの材料効率は上述で述べたものより増大すると考えられる。
【符号の説明】
【００３８】
１  第一の主材
２  第二の主材
３  補剛材
４，５  接合部
１１，１２，１３  主材が交差する点
２１，２２  中間点
【図１】
2011179201.tif 000003
【図２】
2011179201.tif 000004
【図３】
2011179201.tif 000005
【図４】
2011179201.tif 000006
【図５】
2011179201.tif 000007
【図６】
2011179201.tif 000008